(57)【要約】      （修正有）【課題】印画紙ロールに衝撃が与えられることを防止するとともに、印画紙ロールを容易に取り出すことができる梱包体を提供する。【解決手段】本発明による梱包体１は、収納箱２と、この収納箱内に配置された一対の印画紙ロール箱１０と、収納箱内であって一対の印画紙ロール箱上に配置されたインクリボン箱２０とを備えている。各印画紙ロール箱に、印画紙が巻き付けられて形成された印画紙ロールが収納されている。インクリボン箱に、インクリボンと、このインクリボンが巻き付けられた繰出ロールと、この繰出ロールから繰り出されたインクリボンを巻き取る巻取ロールとを有するインクリボンユニットが収納されている。一対の印画紙ロール箱は、収納箱内に隙間なく配置され、各印画紙ロール箱の上面に取出用貫通孔が設けられている。【選択図】図１
2011001065.tif 000002
【特許請求の範囲】
【請求項１】
印画紙ロールとインクリボンの梱包体において、
収納箱と、
この収納箱内に配置された一対の印画紙ロール箱と、
収納箱内であって一対の印画紙ロール箱上に配置されたインクリボン箱と、を備え、
各印画紙ロール箱に、印画紙が巻き付けられて形成された印画紙ロールが収納され、
インクリボン箱に、インクリボンと、このインクリボンが巻き付けられた繰出ロールと、この繰出ロールから繰り出されたインクリボンを巻き取る巻取ロールとを有するインクリボンユニットが収納され、
一対の印画紙ロール箱は、収納箱内に隙間なく配置され、各印画紙ロール箱の上面に取出用貫通孔が設けられていることを特徴とする梱包体。
【請求項２】
インクリボン箱は、底面と、上面と、４つの側面とを有し、
少なくとも対向する一対の側面に、側方に突出する垂直板が設けられ、
垂直板が設けられた対向する一対の側面上部および下部から、水平板が側方に突出し、
各水平板は、収納箱内面に当接してインクリボン箱の水平方向の動きを規制し、垂直板は上部または下部の水平板に当接して垂直方向の剛性をもつことを特徴とする請求項１に記載の梱包体。
【請求項３】
インクリボン箱は、一対の垂直板から内部へ延びる仕切板を有し、
各垂直板は一対の垂直片からなり、かつ仕切板は一対の仕切片からなり、
インクリボン箱の仕切片と垂直片は、一体形成されていることを特徴とする請求項２に記載の梱包体。
【請求項４】
印画紙ロール箱は、底面と、上面と、４つの側面とを有し、
印画紙ロール箱内面に、印画紙ロールの両端に係合自在な一対の係合部が設けられ、
印画紙ロール箱の底面、上面、４つの側面、および一対の係合部は、全て一体のブランク板から構成されていることを特徴とする請求項３に記載の梱包体。
【発明の詳細な説明】
【技術分野】
【０００１】
本発明は、印画紙ロールを収納する一対の印画紙ロール箱と、インクリボンユニットを収納するインクリボン箱とが収納された梱包体に係り、とりわけ、印画紙ロールに衝撃が与えられることを防止するとともに、印画紙ロールを容易に取り出すことができる梱包体に関する。
【背景技術】
【０００２】
一般に、昇華転写プリンターでは、そのプリンター専用のインクリボンと印画紙が使用される。このため、このインクリボンと、インクリボンが巻き付けられた繰出ロールと、この繰出ロールから繰り出されたインクリボンを巻き取る巻取ロールとを有するインクリボンユニットと、印画紙を巻き付けた印画紙ロールとが、一つの収納箱に収納されて輸送されている（例えば、特許文献１参照）。
【０００３】
ここでインクリボンユニットと印画紙ロールを梱包する方法として、これらインクリボンユニットと印画紙ロールを個装箱にそれぞれ収納し、各個装箱を収納箱内に隙間なく詰めて収納する方法が考えられる。このような方法によれば、収納箱内に使用される緩衝材の削減を図りながらインクリボンユニットと印画紙ロールに衝撃が加わることを防止するとともに、輸送効率の向上が期待できる。
【先行技術文献】
【特許文献】
【０００４】
【特許文献１】特開２００９−５１５４１号公報
【発明の概要】
【発明が解決しようとする課題】
【０００５】
しかしながら、上述した方法では、個装箱が収納箱内に隙間なく詰められているため、収納されていた個装箱を収納箱から取り出すことが困難であるという問題がある。
【０００６】
本発明は、このような点を考慮してなされたものであり、印画紙ロールに衝撃が与えられることを防止するとともに、印画紙ロールを容易に取り出すことができる梱包体を提供することを目的とする。
【課題を解決するための手段】
【０００７】
本発明は、印画紙ロールとインクリボンの梱包体において、収納箱と、この収納箱内に配置された一対の印画紙ロール箱と、収納箱内であって一対の印画紙ロール箱上に配置されたインクリボン箱と、を備え、各印画紙ロール箱に、印画紙が巻き付けられて形成された印画紙ロールが収納され、インクリボン箱に、インクリボンと、このインクリボンが巻き付けられた繰出ロールと、この繰出ロールから繰り出されたインクリボンを巻き取る巻取ロールとを有するインクリボンユニットが収納され、一対の印画紙ロール箱は、収納箱内に隙間なく配置され、各印画紙ロール箱の上面に取出用貫通孔が設けられていることを特徴とする梱包体である。
【０００８】
本発明は、インクリボン箱は、底面と、上面と、４つの側面とを有し、少なくとも対向する一対の側面に、側方に突出する垂直板が設けられ、垂直板が設けられた対向する一対の側面上部および下部から、水平板が側方に突出し、各水平板は、収納箱内面に当接してインクリボン箱の水平方向の動きを規制し、垂直板は上部または下部の水平板に当接して垂直方向の剛性をもつことを特徴とする梱包体である。
【０００９】
本発明は、インクリボン箱は、一対の垂直板から内部へ延びる仕切板を有し、各垂直板は一対の垂直片からなり、かつ仕切板は一対の仕切片からなり、インクリボン箱の仕切片と垂直片は、一体形成されていることを特徴とする梱包体である。
【００１０】
本発明は、印画紙ロール箱は、底面と、上面と、４つの側面とを有し、印画紙ロール箱内面に、印画紙ロールの両端に係合自在な一対の係合部が設けられ、印画紙ロール箱の底面、上面、４つの側面、および一対の係合部は、全て一体のブランク板から構成されていることを特徴とする梱包体である。
【発明の効果】
【００１１】
本発明によれば、収納箱内に、印画紙ロールを収納する一対の印画紙ロール箱と、インクリボンユニットを収納するインクリボン箱とが収納され、一対の印画紙ロール箱は、収納箱内に隙間なく配置されている。このため、印画紙ロールに衝撃が与えられることを確実に防止することができる。また、各印画紙ロール箱の上面に印画紙ロール箱を取り出すための取出用貫通孔が設けられている。このため、収納箱内から各印画紙ロール箱を容易に取り出すことができ、印画紙ロールを容易に取り出すことができる。
【図面の簡単な説明】
【００１２】
【図１】図１は、本発明の実施の形態において、梱包体の全体構成を示す図である。
【図２】図２は、本発明の実施の形態において、印画紙ロール箱の構成を示す図である。
【図３】図３は、本発明の実施の形態において、印画紙ロールが収納された印画紙ロール箱を示す断面図である。
【図４】図４は、本発明の実施の形態において、インクリボン箱の構成を示す図である。
【図５】図５は、本発明の実施の形態において、インクリボンユニットが収納されたインクリボン箱を示す断面図である。
【図６】図６は、本発明の実施の形態において、印画紙ロール箱用の印画紙ブランク板を示す図である。
【図７】図７は、本発明の実施の形態において、インクリボン箱用のインクリボンブランク板を示す図である。
【図８】図８は、本発明の実施の形態において、収納箱用の収納ブランク板を示す図である。
【図９】図９は、本発明の実施の形態において、印画紙ロール箱の組立方法を示す図である。
【図１０】図１０は、本発明の実施の形態において、インクリボン箱の組立方法を示す図である。
【図１１】図１１は、本発明の実施の形態において、印画紙ロール箱およびインクリボン箱を収納箱に収納する方法を示す図である。
【発明を実施するための形態】
【００１３】
発明の実施の形態
以下、図面を参照して、本発明の実施の形態について説明する。ここで、図１乃至図１１は、本発明の第１の実施の形態における梱包体を示す図である。
【００１４】
まず、図１により梱包体１の全体構成について説明する。
【００１５】
図１に示すように梱包体１は、収納箱２と、この収納箱２内に配置された一対の印画紙ロール箱１０と、収納箱２内であって一対の印画紙ロール箱１０上に配置されたインクリボン箱２０と、を備えている。このうち、各印画紙ロール箱１０には、印画紙３ａが巻き付けられて形成された印画紙ロール３が収納されている。本実施の形態における印画紙ロール３は、図３に示すように、印画紙３ａと、この印画紙３ａが巻き付けられ、軸線方向に延びる中空部３ｃを含み円筒状に形成された巻付軸３ｂとを有している。また、インクリボン箱２０には、図５に示すように、インクリボン４ａと、このインクリボン４ａが巻き付けられた繰出ロール４ｂと、この繰出ロール４ｂから繰り出されたインクリボン４ａを巻き取る巻取ロール４ｃとを有するインクリボンユニット４が後述する第１収納空間２０ａおよび第２収納空間２０ｂにそれぞれ収納される。
【００１６】
収納箱２は、図１に示すように、底面２ａと、上面２ｂと、４つの側面２ｃとを有し、このうち底面２ａの大きさは、２つの印画紙ロール箱１０を並べて配置可能な大きさを有しており、２つの印画紙ロール箱１０が収納箱２内に隙間なく配置して収納可能になっている。
【００１７】
各印画紙ロール箱１０は、図２に示すように、底面１１と、上面１２と、４つの側面１３とを有し、このうち上面１１に、印画紙ロール箱１０を収納箱２から取り出すための一対の取出用貫通孔１４が設けられている。
【００１８】
印画紙ロール箱１０の内面には、印画紙ロール３の巻付軸３ｂの両端に係合自在な一対の係合部１５、１６が設けられている。すなわち、図３に示すように、各印画紙ロール箱１０の底面１１には、巻付軸３ｂの中空部３ｃの下端に係合自在な底面側係合部１５が設けられ、上面１２には、巻付軸３ｂの中空部３ｃの上端に係合自在な上面側係合部１６が設けられている。このような印画紙ロール箱１０内に、印画紙ロール３は樹脂製の保護袋５に収容されて保持されるようになっている。また、印画紙ロール箱１０の底面１１、上面１２、４つの側面１３、底面側係合部１５、および上面側係合部１６は全て一体の印画紙ブランク板（後述）３０から構成されている（図６参照）。なお、上述した一対の係合部は、印画紙ロール箱１０の底面１１および上面１２ではなく、対向するいずれか２つの側面１３に設けるようにしてもよい。
【００１９】
インクリボン箱２０は、図４に示すように、底面２１と、上面２２と、４つの側面２３とを有している。これら４つの側面２３のうち少なくとも対向する一対の側面２３に、側方に突出する垂直板２４が設けられている。また、垂直板２４が設けられた側面２３の上部から上部水平板２５が側方に突出するとともに、この側面２３の下部から下部水平板２６が側方に突出している。これら上部水平板２５および下部水平板２６は、収納箱２内面に当接してインクリボン箱２０の水平方向の動きを規制している。
【００２０】
また、上部水平板２５には、垂直板２４が挿入されてその上縁が上方に露出可能な垂直板係合溝部２７が設けられており、垂直板２４は、収納箱２に収納した際、その下縁が下部水平板２６に当接するとともに、上縁が収納箱２の上面フラップ５４（後述、図１１参照）に当接して、収納時の垂直方向の剛性をもっている（図１参照）。
【００２１】
インクリボン箱２０は、図４および図５に示すように、一対の垂直板２４から内部へ延びる仕切板２８を有し、各垂直板２４は一対の垂直片、すなわち第１垂直片２４ａおよび第２垂直片２４ｂ（図１０参照）からなり、かつ仕切板２８は一対の仕切片、すなわち第１仕切片２８ａおよび第２仕切片２８ｂからなっている。さらに、インクリボン箱２０の底面２１、上面２２、４つの側面２３、垂直板２４、上部水平板２５、下部水平板２６、および仕切板２８は、全て一体のインクリボンブランク板（後述）４０から構成されている（図７参照）。
【００２２】
図４に示すように、インクリボン箱２０の上面２２に、インクリボン箱２０からインクリボンユニット４を取り出すためのインクリボン取出用貫通孔２９が設けられている。
【００２３】
インクリボン箱２０内には、仕切板２８によって区画され、インクリボンユニット４をそれぞれ収納可能な第１収納空間２０ａおよび第２収納空間２０ｂが形成されている。これら第１収納空間２０ａおよび第２収納空間２０ｂは、インクリボンユニット４に対応する大きさをそれぞれ有している。このようなインクリボン箱２０の第１収納空間２０ａおよび第２収納空間２０ｂには、図５に示すように、インクリボンユニット４の繰出ロール４ｂと巻取ロール４ｃの両端に連結部材６が取り付けられて互いに連結され、樹脂製の保護袋７に収容されたインクリボンユニット４がそれぞれ収納される。なお、インクリボンユニット４の収納方法としては、このことに限られることはなく、繰出ロール４ｂと巻取ロール４ｃとの間に緩衝シート（図示せず）を介在させてインクリボンユニット４全体が包装シート（図示せず）により覆われてインクリボン箱２０の第１収納空間２０ａおよび第２収納空間２０ｂに収納されるようにしても良い。
【００２４】
図６を用いて、印画紙ロール箱１０を作製するための印画紙ブランク板３０について説明する。印画紙ブランク板３０は、板紙からなり、４つの側面パネル３１と、一端側に連結され、側方に延びる折返部３２とを有している。また、各側面パネル３１には、これら各側面パネル３１に渡って延びる側面側ミシン目線３３が設けられている。
【００２５】
印画紙ロール箱１０の対向するいずれか一対の側面１３を形成する側面パネル３１に、一対の第１底面フラップ３４および一対の第１上面フラップ３６が連結されている。このうち、各第１底面フラップ３４は、対応する側面パネル３１に連結され、印画紙ロール箱１０の底面１１を形成する第１底面フラップ本体３４ａと、この第１底面フラップ本体３４ａの先端側に延びる第１底面突出部３４ｂと、この第１底面突出部３４ｂの先端縁に延びる第１底面溝部３４ｃとを含んでいる。
【００２６】
また、印画紙ロール箱１０の対向する他の一対の側面１３を形成する側面パネル３１に、一対の第２底面フラップ３５および一対の第２上面フラップ３７が連結されている。このうち各第２底面フラップ３５は、対応する側面パネル３１に連結され、印画紙ロール箱１０の底面１１を形成する第２底面フラップ本体３５ａと、この第２底面フラップ本体３５ａの先端側に延びる第２底面突出部３５ｂと、第２底面フラップ本体３５ａから第２底面突出部３５ｂに亘って延びる第２底面溝部３５ｃとを含んでいる。
【００２７】
これら第１底面突出部３４ｂと第２底面突出部３５ｂとにより、印画紙ロール箱１０の底面側係合部１５が構成される。
【００２８】
上述した各第１上面フラップ３６は、対応する側面パネル３１に連結され、印画紙ロール箱１０の上面１２を形成する第１上面フラップ本体３６ａと、この第１上面フラップ本体３６ａの先端側に延びる第１上面突出部３６ｂと、この第１上面突出部３６ｂの先端縁に延びる第１上面溝部３６ｃとを含んでいる。各第１上面フラップ本体３６ａのうち側面パネル３１側には、印画紙ロール箱１０を取り出すための取出用貫通孔１４がそれぞれ形成されている。
【００２９】
上述した各第２上面フラップ３７は、対応する側面パネル３１に連結され、印画紙ロール箱１０の上面１２を形成する第２上面フラップ本体３７ａと、この第２上面フラップ本体３７ａの先端側に延びる第２上面突出部３７ｂと、第２上面フラップ本体３７ａから第２上面突出部３７ｂに亘って延びる第２上面溝部３７ｃとを含んでいる。各第２上面フラップ本体３７ａには、印画紙ロール箱１０が組み立てられた際に取出用貫通孔１４の周縁に対応する位置に上面側ミシン目線３８が形成されている。
【００３０】
これら第１上面突出部３６ｂと第２上面突出部３７ｂとにより、印画紙ロール箱１０の上面側係合部１６が構成される。
【００３１】
図７を用いて、インクリボン箱２０を作製するためのインクリボンブランク板４０について説明する。インクリボンブランク板４０は、板紙からなり、インクリボン箱２０の底面２１を形成する底面パネル４１を有している。この底面パネル４１に、インクリボン箱２０の側面２３を形成する２つの側面パネル４２ａが連結され、このうちの一方の側面パネル４２ａの両側に、２つの側面パネル４２ｂが連結されている。
【００３２】
各側面パネル４２ｂに、上部水平板２５および下部水平板２６がそれぞれ連結されている。また、各上部水平板２５から対応する側面パネル４２ｂ亘って垂直板係合溝部２７が延びている。なお、底面パネル４１と各下部水平板２６との間に、切込線４７が形成されている。
【００３３】
また、一方の側面パネル４２ａに、第１インクリボンフラップ４３が連結され、他方の側面パネル４２ａに、第２インクリボンフラップ４４が連結されている。このうち第１インクリボンフラップ４３に、インクリボンユニット４を取り出すための一対のインクリボン取出用貫通孔２９が形成されている。なお、第２インクリボンフラップ４４と各上部水平線２５との間に、切込線４８が形成されている。
【００３４】
第１インクリボンフラップ４３に第１仕切片２８ａが連結され、この第１仕切片２８ａの両側に第１垂直片２４ａがそれぞれ連結されている。第１仕切片２８ａと各第１垂直片２４ａとの間に第１仕切片係合溝部４５が形成され、第１垂直片２４ａおよび第１仕切片２８ａの先端縁に延びている。同様に、第２インクリボンフラップ４４に第２仕切片２８ｂが連結され、この第２仕切片２８ｂの両側に第２垂直片２４ｂがそれぞれ連結されている。第２仕切片２８ｂと各第２垂直片２４ｂとの間に第２仕切片係合溝部４６が形成され、第２垂直片２４ｂおよび第２仕切片２８ｂの先端縁に延びている。
【００３５】
図８を用いて、収納箱２を作製するための収納ブランク板５０について説明する。収納ブランク板５０は、板紙からなり、４つの側面パネル５１と、一端側に位置し、側方に延びる折返部５２とを有している。各側面パネル５１に、４つの底面フラップ５３および４つの上面フラップ５４がそれぞれ連結されている。
【００３６】
次に、このような構成からなる本実施の形態の作用について説明する。まず、印画紙ロール箱１０の組立方法について説明する。
【００３７】
まず、図６に示すような印画紙ブランク板３０を準備する。次に、印画紙ブランク板３０の４つの側面パネル３１と折返部３２とが互いにそれぞれ折り曲げられ、図９に示すように、折返部３２と対応する側面パネル３１とが連結される。次に、各第１底面フラップ本体３４ａが対応する側面パネル３１に対して折り曲げられ、この第１底面フラップ本体３４ａに対して第１底面突出部３４ｂが折り曲げられる。同様にして、各第２底面フラップ本体３５ａが対応する側面パネル３１に対して折り曲げられ、この第２底面フラップ本体３５ａに対して第２底面突出部３５ｂが折り曲げられる。
【００３８】
次に、各第２底面突出部３５ｂが印画紙ロール箱１０内部に向くように各第２底面フラップ本体３５ａが閉じられる。この場合、各第２底面フラップ３５の第２底面溝部３５ｃが連通する。
【００３９】
次に、各第１底面突出部３４ｂを連通した第２底面溝部３５ｃに挿入するように各第１底面フラップ本体３４ａが閉じられる。この場合、各第１底面溝部３４ｃに各第２底面突出部３５ｂが係合し、各第２底面溝部３５ｃに各第１底面突出部３４ｂが係合する。このようにして、各第１底面突出部３４ｂと各第２底面突出部３５ｂとにより底面側係合部１５が形成されて、印画紙ロール箱１０の底面１１が形成される。
【００４０】
次に、各第１上面フラップ本体３６ａが対応する側面パネル３１に対して折り曲げられ、この第１上面フラップ本体３６ａに対して第１上面突出部３６ｂが折り曲げられる。同様にして、各第２上面フラップ本体３７ａが対応する側面パネル３１に対して折り曲げられ、この第２上面フラップ本体３７ａに対して第２上面突出部３７ｂが折り曲げられる。
【００４１】
次に、底面１１が形成された印画紙ロール箱１０に、印画紙ロール３が収納される。この場合、予め保護袋５に収容された印画紙ロール３の巻付軸３ｂの中空部３ｃの下端が、印画紙ロール箱１０の底面側係合部１５に係合する（図３参照）。
【００４２】
次に、図９に示すように、各第２上面突出部３７ｂが印画紙ロール箱１０内部に向くように各第２上面フラップ本体３７ａが閉じられる。この場合、各第２上面突出部３７ｂが印画紙ロール３の巻付軸３ｂの中空部３ｃの上端に係合する。また、各第２上面フラップ３７の第２上面溝部３７ｃが連通し、この第２上面フラップ本体３７ａに形成された上面側ミシン目線３８が現れている。
【００４３】
次に、各第１上面突出部３６ｂを連通した第２上面溝部３７ｃに挿入するように各第１上面フラップ本体３６ａが閉じられる。この場合、各第１上面溝部３６ｃに各第２上面突出部３７ｂが係合し、各第２上面溝部３７ｃに各第１上面突出部３６ｂが係合するとともに、各第１上面突出部３６ｂが各第２上面突出部３７ｂとともに印画紙ロール３の巻付軸３ｂの中空部３ｃの上端に係合する。このようにして、各第１上面突出部３６ｂと各第２上面突出部３７ｂとにより上面側係合部１６が形成されて、印画紙ロール箱１０の上面１２が形成される。このとき、印画紙ロール箱１０の上面１２に、印画紙ロール箱１０を取り出すための取出用貫通孔１４が現れている。
【００４４】
次に、インクリボン箱２０の組立方法について説明する。まず、図７に示すようなインクリボンブランク板４０を準備する。次に、図１０に示すように、インクリボンブランク板４０の底面パネル４１に対して４つの側面パネル４２ａ、４２ｂが立ち上げられる。この際、上部水平板２５および下部水平板２６が底面パネル４１に略水平となるように折り曲げられる。
【００４５】
次に、第１インクリボンフラップ４３および第２インクリボンフラップ４４が対応する側面パネル４２ａに対して折り曲げられ、第１インクリボンフラップ４３に対して第１仕切片２８ａが折り曲げられるとともに、第２インクリボンフラップ４４に対して第２仕切片２８ｂが折り曲げられる。
【００４６】
次に、底面２１が形成されたインクリボン箱２０に、予め保護袋７に収容されたインクリボンユニット４が収納される。この場合、この後、第１仕切片２８ａおよび第２仕切片２８ｂからなる仕切板２８によって区画される第２収納空間２０ｂ（図５参照）に相当する部分にインクリボンユニット４が収納される。
【００４７】
次に、図１０に示すように、第２垂直片２４ｂが上部水平板２５に形成された垂直板係合溝部２７に挿入されるように、第２インクリボンフラップ４４が閉じられる。この場合、第２仕切片係合溝部４６に側面パネル４２ｂが係合するとともに、垂直板係合溝部２７に第２垂直片２４ｂが係合する。
【００４８】
次に、インクリボン箱２０の第１収納空間２０ａ（図５参照）に、予め保護袋７に収容されたもう一つのインクリボンユニット４が収納される。
【００４９】
次に、図１０に示すように、第１垂直片２４ａが上部水平板２５に形成された垂直板係合溝部２７に挿入されるように、第１インクリボンフラップ４３が閉じられる。この場合、第１仕切片係合溝部４５に側面パネル４２が係合するとともに、垂直板係合溝部２７に第１垂直片２４ａが係合する。
【００５０】
このようにして、インクリボン箱２０の上面２２が形成される。この場合、この上面２２に、インクリボン箱２０からインクリボンユニット４を取り出すためのインクリボン取出用貫通孔２９が現れる。
【００５１】
上述のようにして得られた印画紙ロール箱１０が、収納箱２内に隙間なく収納される。この場合、まず、図８に示すような収納ブランク板５０を準備し、収納ブランク板５０の側面パネル５１と折返部５２とが互いにそれぞれ折り曲げられ、折返部５２と対応する側面パネル５１とが連結される（図１１参照）。次に、各底面フラップ５３が対応する側面パネル５１に対して折り曲げられて閉じられ、接着テープ８により底面フラップ５３同士が貼り付けられる。
【００５２】
次に、上方から２つの印画紙ロール箱１０が並んで配置されて収納される。次に、印画紙ロール箱１０の上面１２に、インクリボン箱２０が収納される。このとき、インクリボン箱２０の側面２３から側方に突出する上部水平板２５および下部水平板２６が収納箱２の内面に当接している。その後、収納箱２の上面フラップ５４が折り曲げられて閉じられ、接着テープ８により上面フラップ５４同士が貼り付けられる。このとき、インクリボン箱２０の側面２３から側方に突出する垂直板２４の下縁が下部水平板２６に当接するとともに、上縁が収納箱２の上面フラップ５４に当接している。このようにして、印画紙ロール３およびインクリボンユニット４が収納箱２に収納される。
【００５３】
ところで、印画紙ロール３およびインクリボンユニット４が収納された収納箱２から印画紙ロール３およびインクリボンユニット４を取り出す場合、まず、図１１に示すように、接着テープ８が剥がされて上面フラップ５４が開けられ、収納箱２からインクリボン箱２０が引き出される。
【００５４】
次に、インクリボン箱２０の上面２２に形成されたインクリボン取出用貫通孔２９を用いて、第１垂直片２４ａおよび第１仕切片２８ａを上方に引き上げるようにして第１インクリボンフラップ４３が開けられる。このことにより、インクリボン箱２０の第１収納空間２０ａに収納されていたインクリボンユニット４を取り出すことができる。この際、インクリボン取出用貫通孔２９を用いることにより、第１インクリボンフラップ４３を容易に開けることができる。
【００５５】
その後、第２垂直片２４ｂおよび第２仕切片２８ｂを上方に引き上げるようにして第２インクリボンフラップ４４が開けられる（図１０参照）。このことにより、インクリボン箱２０の第２収納空間２０ｂからインクリボンユニット４を取り出すことができる。
【００５６】
次に、図１１に示すように、印画紙ロール箱１０の上面に形成された取出用貫通孔１４を用いて、収納箱２から印画紙ロール箱１０が引き出される。この場合、まず、印画紙ロール箱１０の第２上面フラップ３７に形成された上面側ミシン目線３８が破断されて、第２上面フラップ３７に貫通孔が形成される。次に、この第２上面フラップ３７に形成された貫通孔と、予め形成されていた取出用貫通孔１４とを用いて、収納箱２から印画紙ロール箱１０が引き出される。
【００５７】
次に、印画紙ロール箱１０の第１上面突出部３６ｂを上方に引き上げるようにして第１上面フラップ３６が開けられ、第２上面突出部３７ｂを上方に引き上げるようにして第２上面フラップ３７が開けられる（図９参照）。このことにより、印画紙ロール箱１０から印画紙ロール３を取り出すことができる。なお、第１上面フラップ３６および第２上面フラップ３７を開けることなく、印画紙ロール箱１０の側面１３に形成された側面側ミシン目線３３（図６参照）を介して印画紙ロール箱１０を上下方向に２分割して、印画紙ロール３を取り出すこともできる。
【００５８】
このように本実施の形態によれば、収納箱２内に、印画紙ロール３を収納する一対の印画紙ロール箱１０と、インクリボンユニット４を収納するインクリボン箱２０とが収納され、一対の印画紙ロール箱１０は、収納箱２内に隙間なく配置されて収納される。これら各印画紙ロール箱１０の上面に、この印画紙ロール箱１０を取り出すための取出用貫通孔１４が設けられている。このため、この取出用貫通孔１４を用いることによって収納箱２内から各印画紙ロール箱１０を容易に取り出すことができる。
【００５９】
また、本実施の形態によれば、上述したように、一対の印画紙ロール箱１０が収納箱２内に隙間なく並べて配置されて収納されている。このため、収納箱２内において印画紙ロール箱１０が水平方向に動くことを規制することができる。また、印画紙ロール箱１０の上面１２に配置されたインクリボン箱２０の側面２３から側方に突出する上部水平板２５および下部水平板２６が収納箱２の内面に当接している。このことにより、収納箱２内においてインクリボン箱２０が水平方向に動くことを規制することができる。さらに、インクリボン箱２０の側面２３から側方に垂直板２４が突出して、その下縁が下部水平板２６に当接するとともに、上縁が収納箱２の上面フラップ５４に当接している。このことにより、収納時の垂直方向の剛性をもたせ、収納箱２内において印画紙ロール箱１０およびインクリボン箱２０が垂直方向に動くことを規制することができる。このため、印画紙ロール３とインクリボンユニット４に衝撃が与えられることを防止することができる。
【００６０】
また、本実施の形態によれば、印画紙ロール箱１０の底面１１、上面１２、４つの側面１３、底面側係合部１５、および上面側係合部１６は全て一体の印画紙ブランク板３０から構成されている。ここで、印画紙ロール３の巻付軸３ｂの中空部３ｃの両端を係合して保持するために、別構成の樹脂成型品を用いる方法も考えられる。しかしながらこの場合、この樹脂成型品用の金型製作のために費用がかかり、印画紙およびインクリボンの受注量が比較的少ない場合には、梱包体１の製作コストを低く抑えることが困難になる。これに対して本発明によれば、このような別構成の樹脂成型品を用いることなく、印画紙ブランク板３０から組み立てられた印画紙ロール箱１０の底面側係合部１５および上面側係合部１６によって、印画紙ロール３の巻付軸３ｂの両端を係合することができる。このため、印画紙およびインクリボンの受注量が比較的少ない場合であっても、梱包体１の製作コストを低く抑えることができる。
【００６１】
なお、本実施の形態においては、各印画紙ロール箱１０に収納される印画紙ロール３は、印画紙３ａと、この印画紙３ａが巻き付けられ、軸線方向に延びる中空部３ｃを含む円筒状の巻付軸３ｂとを有し、この巻付軸３ｂの両端に印画紙ロール箱１０の各係合部１５、１６が係合する例について述べた。しかしながらこのことに限られることはなく、各印画紙ロール箱１０に収納される印画紙ロール３は、巻付軸３ｂを用いることなく、印画紙３ａを円筒状に巻き付けて形成されたコアレスタイプの印画紙ロール（図示せず）であってもよい。この場合においても、印画紙３ａの内側には軸線方向に延びる中空部が形成されているため、この印画紙ロールの中空部の両端に印画紙ロール箱１０の各係合部１５、１６を係合させて、印画紙ロールを確実に保持することができる。
【符号の説明】
【００６２】
１      梱包体
２      収納箱
２ａ    底面
２ｂ    上面
２ｃ    側面
３      印画紙ロール
３ａ    印画紙
３ｂ    巻付軸
３ｃ    中空部
４      インクリボンユニット
４ａ    インクリボン
４ｂ    繰出ロール
４ｃ    巻取ロール
５      保護袋
６      連結部材
７      保護袋
８      接着テープ
１０    印画紙ロール箱
１１    底面
１２    上面
１３    側面
１４    取出用貫通孔
１５    底面側係合部
１６    上面側係合部
２０    インクリボン箱
２０ａ  第１収納空間
２０ｂ  第２収納空間
２１    底面
２２    上面
２３    側面
２４    垂直板
２４ａ  第１垂直片
２４ｂ  第２垂直片
２５    上部水平板
２６    下部水平板
２７    垂直板係合溝部
２８    仕切板
２８ａ  第１仕切片
２８ｂ  第２仕切片
２９    インクリボン取出用貫通孔
３０    印画紙ブランク板
３１    側面パネル
３２    折返部
３３    側面側ミシン目線
３４    第１底面フラップ
３４ａ  第１底面フラップ本体
３４ｂ  第１底面突出部
３４ｃ  第１底面溝部
３５    第２底面フラップ
３５ａ  第２底面フラップ本体
３５ｂ  第２底面突出部
３５ｃ  第２底面溝部
３６    第１上面フラップ
３６ａ  第１上面フラップ本体
３６ｂ  第１上面突出部
３６ｃ  第１上面溝部
３７    第２上面フラップ
３７ａ  第２上面フラップ本体
３７ｂ  第２上面突出部
３７ｃ  第２上面溝部
３８    上面側ミシン目線
４０    インクリボンブランク板
４１    底面パネル
４２ａ  側面パネル
４２ｂ  側面パネル
４３    第１インクリボンフラップ
４４    第２インクリボンフラップ
４５    第１仕切片係合溝部
４６    第２仕切片係合溝部
４７    切込線
４８    切込線
５０    収納ブランク板
５１    側面パネル
５２    折返部
５３    底面フラップ
５４    上面フラップ
【図１】
2011001065.tif 000003
【図２】
2011001065.tif 000004
【図３】
2011001065.tif 000005
【図４】
2011001065.tif 000006
【図５】
2011001065.tif 000007
【図６】
2011001065.tif 000008
【図７】
2011001065.tif 000009
【図８】
2011001065.tif 000010
【図９】
2011001065.tif 000011
【図１０】
2011001065.tif 000012
【図１１】
2011001065.tif 000013